(57)【要約】【課題】  磁気ヘッドクリーニングの最適化。【解決手段】  エラー履歴情報を検知して通報するエラーレート情報通知手段を含む磁気テープライブラリ装置２と、エラー履歴情報を格納するエラーレート履歴情報記憶部／磁気テープドライブ製番対応に前回のリード／ライト時にヘッドクリーニングフラグを格納したクリーニング情報記憶部／エラーレートに対してヘッドクリーニング又は障害表示対象とする第一の閾値と該第一の閾値よりも低く、警告対象とする第二の閾値を格納する閾値格納部とを含む制御装置１とを備え、データのリード／ライトを行った後に当該ドライブのエラーレートを取得し、取得したエラーレートが第一の閾値よりも大きく且つ前回のリード／ライト時にクリーニングを実施していたとき、当該磁気テープに対するヘッドクリーニングを行わずにエラー表示するもの。【選択図】  図１
2006099851.tif 000002
【特許請求の範囲】
【請求項１】
複数の磁気テープに複数の磁気テープドライブを用いてデータのバックアッブを行う磁気テープライブラリ装置と、該磁気テープライブラリ装置を制御する制御装置とを備える磁気テープバックアップシステムにおいて、
前記磁気テープライブラリ装置が、磁気テープ製番と該磁気テープ製番の磁気テープにリード／ライトを行ったドライブ製番とエラーレートからなるエラー履歴情報を検知して通報するエラーレート情報通知手段を含み、
前記制御装置が、前記エラーレート情報通知手段から通知されたエラー履歴情報を格納するエラーレート履歴情報記憶部と、磁気テープドライブ製番対応に前回のリード／ライト時にヘッドクリーニングを行ったことを示すフラグを格納したクリーニング情報記憶部と、前記エラーレートに対してヘッドクリーニング又は障害表示対象とする第一の閾値と該第一の閾値よりも低く、警告対象とする第二の閾値を格納する閾値格納部とを含み、
制御装置が、磁気テープライブラリ装置のある磁気テープドライブを用いてデータのリード／ライトを行った後に前記エラーレート情報通知手段から当該ドライブのエラーレートを取得すると共に、クリーニング情報記憶部から前回のリード／ライト後にクリーニングを行ったことを示すクリーニングフラグの有無を検索し、前記取得したエラーレートが第一の閾値よりも大きく且つクリーニングフラグを検知したとき、当該磁気テープに対するヘッドクリーニングを行わずにエラー表示することを特徴とする磁気テープバックアップシステム。
【請求項２】
前記制御装置が、前記取得したエラーレートが第一の閾値よりも大きい事と、前回のリード／ライト時にクリーニングを実施していない事と、前回のリード／ライト時のエラーレートが第二の閾値より大きい事と、リード／ライトした磁気テープが同一の磁気テープでない事を条件として、当該磁気テープに対するヘッドクリーニングを行うことを特徴とする請求項１記載の磁気テープバックアップシステム。
【請求項３】
前記制御装置が、前記取得したエラーレートが第一の閾値よりも大きい事と、前回のリード／ライト時にクリーニングを実施していない事と、前回のリード／ライト時のエラーレートが第二の閾値より大きい事と、リード／ライトした磁気テープが同一の磁気テープである事と、当該磁気テープの過去のエラーレートに第二の閾値より大きいエラーレート履歴がテープ交換閾値以下である事を条件としてヘッドクリーニングを行うことを特徴とする請求項１記載の磁気テープバックアップシステム。
【請求項４】
前記制御装置が、前記取得したエラーレートが第一の閾値よりも大きい事と、前回のリード／ライト時にクリーニングを実施していない事と、前回のリード／ライト時のエラーレートが第二の閾値より大きい事と、リード／ライトした磁気テープが同一の磁気テープである事と、当該磁気テープの過去のエラーレートに第二の閾値より大きいエラーレート履歴がテープ交換閾値以上であること、別の磁気テープで第二の閾値以上の情報がある事を条件としてヘッドクリーニングを行うことを特徴とする請求項１記載の磁気テープバックアップシステム。
【請求項５】
前記制御装置が、前記取得したエラーレートが第一の閾値よりも大きい事と、前回のリード／ライト時にクリーニングを実施していない事と、前回のリード／ライト時のエラーレートが第二の閾値より大きい事と、リード／ライトした磁気テープが同一の磁気テープである事と、当該磁気テープの過去のエラーレートに第二の閾値より大きいエラーレート履歴がテープ交換閾値以上である事と、別の磁気テープで第二の閾値以上の情報がない事を条件として磁気テープの交換を促すメッセージを表示することを特徴とする請求項１記載の磁気テープバックアップシステム。
【請求項６】
磁気テープ製番と該磁気テープ製番の磁気テープにリード／ライトを行ったドライブ製番とエラーレートからなるエラー履歴情報を検知して通報するエラーレート情報通知手段を含み、複数の磁気テープに複数の磁気テープドライブを用いてデータのバックアッブを行う磁気テープライブラリ装置と、前記エラーレート情報通知手段から通知されたエラー履歴情報を格納するエラーレート履歴情報記憶部と、磁気テープドライブ製番対応に前回のリード／ライト時にヘッドクリーニングを行ったことを示すフラグを格納したクリーニング情報記憶部と、前記エラーレートに対してヘッドクリーニング又は障害表示対象とする第一の閾値と該第一の閾値よりも低く、警告対象とする第二の閾値を格納する閾値格納部とを含み、前記磁気テープライブラリ装置を制御する制御装置とを備える磁気テープバックアップシステムの制御方法であって、
磁気テープライブラリ装置のある磁気テープドライブを用いてデータのリード／ライトを行った後に前記エラーレート情報通知手段から当該ドライブのエラーレートを取得する第１ステップと、クリーニング情報記憶部から前回のリード／ライト後にクリーニングを行ったことを示すフラグの有無を検索する第２ステップとを実行し、前記第１ステップにより取得したエラーレートが第一の閾値よりも大きく且つ第２ステップにより前回のリード／ライト時のクリーニングフラグを検出したとき、当該磁気テープに対するヘッドクリーニングを行わずにエラー表示する第３ステップを含むことを特徴とする磁気テープバックアップシステムの管理方法。
【請求項７】
前記第１ステップにより取得したエラーレートが第一の閾値よりも大きい事と、前記第２ステップによる前回のリード／ライト時のクリーニングフラグを検出していない事と、前回のリード／ライト時のエラーレートが第二の閾値より大きい事と、リード／ライトした磁気テープが同一の磁気テープでない事を条件として、当該磁気テープに対するヘッドクリーニングを行う第４ステップを含むことを特徴とする請求項６記載の磁気テープバックアップシステムの管理方法。
【請求項８】
前記第１ステップにより取得したエラーレートが第一の閾値よりも大きい事と、前記第２ステップによる前回のリード／ライト時のクリーニングフラグを検出していない事と、前回のリード／ライト時のエラーレートが第二の閾値より大きい事と、リード／ライトした磁気テープが同一の磁気テープである事と、当該磁気テープの過去のエラーレートに第二の閾値より大きいエラーレート履歴がテープ交換閾値以下である事を条件としてヘッドクリーニングを行う第５ステップとを含むことを特徴とする請求項６記載の磁気テープバックアップシステムの管理方法。
【請求項９】
前記第１ステップにより取得したエラーレートが第一の閾値よりも大きい事と、前記第２ステップによる前回のリード／ライト時のクリーニングフラグを検出していない事と、前回のリード／ライト時のエラーレートが第二の閾値より大きい事と、リード／ライトした磁気テープが同一の磁気テープである事と、当該磁気テープの過去のエラーレートに第二の閾値より大きいエラーレート履歴がテープ交換閾値以上である事と、別の磁気テープで第二の閾値以上の情報がある事を条件としてヘッドクリーニングを行う第６ステップとを含むことを特徴とする請求項６記載の磁気テープバックアップシステムの管理方法。
【請求項１０】
前記第１ステップにより取得したエラーレートが第一の閾値よりも大きい事と、前記第２ステップによる前回のリード／ライト時のクリーニングフラグを検出していない事と、前回のリード／ライト時のエラーレートが第二の閾値より大きい事と、リード／ライトした磁気テープが同一の磁気テープである事と、当該磁気テープの過去のエラーレートに第二の閾値より大きいエラーレート履歴がテープ交換閾値以上である事と、別の磁気テープで第二の閾値以上の情報がない事を条件として磁気テープの交換を促すメッセージを表示する第７ステップを含むことを特徴とする請求項６記載の磁気テープバックアップシステムの管理方法。
【発明の詳細な説明】
【技術分野】
【０００１】
本発明は、磁気テープライブラリ装置を利用した磁気テープバックアップシステム及び該システムの管理方法に係り、特に磁気ヘッドのクリーニングを好適に行うことができる磁気テープバックアップシステム及び該システムの管理方法に関する。
【背景技術】
【０００２】
一般に複数の磁気テープ装置を用いてコンピュータシステムのデータのバックアップを行う磁気テープバックアップシステムは、磁気ヘッドが磁気テープの摩耗による塵埃が付着してデータのリード／ライトに支障が生じるために、磁気ヘッドのクリーニングを行う必要がある。この磁気ヘッドのクリーニングは、多数の磁気テープ装置毎に行う必要があり、また頻繁なヘッドクリーニングは磁気ヘッドの物理的摩耗を招くために好ましいことではない。
【０００３】
この磁気ヘッドクリーニングに関する技術が記載された文献としては、下記特許公報１が挙げられ、この特許公報１には、磁気テープ装置のリード／ライド時にエラーが発生した場合、自動的にヘッドクリーニングを行う旨が記載されている。
【０００４】
他の文献としては下記特許文献２が挙げられ、この文献には、磁気テープのリードライト時におけるエラーの発生頻度（エラーレート）を監視し、このエラー発生頻度が所定の閾値を越えた場合にオペレータにヘッドクリーニングを表示する旨が記載されている。
【特許文献１】特開２０００−２９３８２５号公報
【特許文献２】特開２００３−３３１４０８号公報
【発明の開示】
【発明が解決しようとする課題】
【０００５】
前記特許文献１記載の技術は、エラー発生後に自動的にヘッドクリーニングを実施しているため、データのバックアップ等がスケジュールされているバックアップシステムにおいては、ヘッドクリーニング中はバックアップが中断するためにバックアップ／リストア時間が遅延すると言う不具合があった。
【０００６】
更に特許文献２記載の技術は、エラーレートを監視してオペレータに警告を行うことができるものの、自動的にヘッドクリーニングを行うことができないと共に、前記エラー発生の原因が磁気テープ側にあるのか磁気ヘッド側にあるのか判定することができず、磁気テープを原因とする障害の場合には回復することが出来ないと言う不具合があった。特に当該技術では、エラー原因が磁気テープ側にある場合、ヘッドクリーニングを何回も実行し、磁気ヘッドの摩耗を助長すると言う不具合もあった。
【０００７】
また従来技術による磁気テープバックアップシステムは、例えば銀行のコンピュータシステムにおいてシステムが休止中の例えば夜間等の限られた時刻内にバックアップを行う必要があるため、信頼性が要求され、データバックアップやデータリストアが失敗してからヘッドクリーニングを行うのではなく、障害が発生する前にヘッドクリーニングし、障害を防止することが望まれているが、この障害発生前に自動的にヘッドクリーニングを行うことが困難であると言う不具合があった。
【０００８】
本発明の目的は、前述の従来技術による不具合を除去することであり、エラー発生前に自動的に磁気ヘッドクリーニングを実施することができると共に、磁気テープ側の原因によるエラー発生の際には無駄な磁気ヘッドクリーニングを低減することができる磁気テープバックアップシステム及び該システムの管理方法を提供することである。
【課題を解決するための手段】
【０００９】
前記目的を達成するために本発明は、複数の磁気テープに複数の磁気テープドライブを用いてデータのバックアッブを行う磁気テープライブラリ装置と、該磁気テープライブラリ装置を制御する制御装置とを備える磁気テープバックアップシステムにおいて、前記磁気テープライブラリ装置が、磁気テープ製番と該磁気テープ製番の磁気テープにリード／ライトを行ったドライブ製番とエラーレートからなるエラー履歴情報を検知して通報するエラーレート情報通知手段を含み、前記制御装置が、前記エラーレート情報通知手段から通知されたエラー履歴情報を格納するエラーレート履歴情報記憶部と、磁気テープドライブ製番対応に前回のリード／ライト時にヘッドクリーニングを行ったことを示すフラグを格納したクリーニング情報記憶部と、前記エラーレートに対してヘッドクリーニング又は障害表示対象とする第一の閾値と該第一の閾値よりも低く、警告対象とする第二の閾値を格納する閾値格納部とを含み、制御装置が、磁気テープライブラリ装置のある磁気テープドライブを用いてデータのリード／ライトを行った後に前記エラーレート情報通知手段から当該ドライブのエラーレートを取得すると共に、クリーニング情報記憶部から前回のリード／ライト後にクリーニングを行ったことを示すフラグの有無を検索し、前記取得したエラーレートが第一の閾値よりも大きく且つ前回のリード／ライト時にクリーニングを実施していたとき、当該磁気テープに対するヘッドクリーニングを行わずにエラー表示することを第１の特徴とする。
【００１０】
また本発明は、前記磁気テープバックアップシステムにおいて、前記制御装置が、前記取得したエラーレートが第一の閾値よりも大きい事と、前回のリード／ライト時にクリーニングを実施していない事と、前回のリード／ライト時のエラーレートが第二の閾値より大きい事と、リード／ライトした磁気テープが同一の磁気テープでない事を条件として、当該磁気テープに対するヘッドクリーニングを行うことを第２の特徴とし、前記第１の磁気テープバックアップシステムにおいて、前記制御装置が、前記取得したエラーレートが第一の閾値よりも大きい事と、前回のリード／ライト時にクリーニングを実施していない事と、前回のリード／ライト時のエラーレートが第二の閾値より大きい事と、リード／ライトした磁気テープが同一の磁気テープである事と、当該磁気テープの過去のエラーレートに第二の閾値より大きいエラーレート履歴がテープ交換閾値以下である事を条件としてヘッドクリーニングを行うことを第３の特徴とし、前記第１の磁気テープバックアップシステムにおいて、前記制御装置が、前記取得したエラーレートが第一の閾値よりも大きい事と、前回のリード／ライト時にクリーニングを実施していない事と、前回のリード／ライト時のエラーレートが第二の閾値より大きい事と、リード／ライトした磁気テープが同一の磁気テープである事と、当該磁気テープの過去のエラーレートに第二の閾値より大きいエラーレート履歴がテープ交換閾値以上である事と、別の磁気テープで第二の閾値以上の情報がある事を条件としてヘッドクリーニングを行うことを第４の特徴とし、前記第１の磁気テープバックアップシステムにおいて、前記制御装置が、前記取得したエラーレートが第一の閾値よりも小さい事と、前回のリード／ライト時にクリーニングを実施していない事と、前回のリード／ライト時のエラーレートが第二の閾値より大きい事と、リード／ライトした磁気テープが同一の磁気テープである事と、当該磁気テープの過去のエラーレートに第二の閾値より大きいエラーレート履歴がテープ交換閾値以上である事と、別の磁気テープで第二の閾値以上の情報がない事を条件として磁気テープの交換を促すメッセージを表示することを第５の特徴とする。
【００１１】
更に本発明は、磁気テープ製番と該磁気テープ製番の磁気テープにリード／ライトを行ったドライブ製番とエラーレートからなるエラー履歴情報を検知して通報するエラーレート情報通知手段を含み、複数の磁気テープに複数の磁気テープドライブを用いてデータのバックアッブを行う磁気テープライブラリ装置と、前記エラーレート情報通知手段から通知されたエラー履歴情報を格納するエラーレート履歴情報記憶部と、磁気テープドライブ製番対応に前回のリード／ライト時にヘッドクリーニングを行ったことを示すフラグを格納したクリーニング情報記憶部と、前記エラーレートに対してヘッドクリーニング又は障害表示対象とする第一の閾値と該第一の閾値よりも低く、警告対象とする第二の閾値を格納する閾値格納部とを含み、前記磁気テープライブラリ装置を制御する制御装置とを備える磁気テープバックアップシステムの制御方法において、磁気テープライブラリ装置のある磁気テープドライブを用いてデータのリード／ライトを行った後に前記エラーレート情報通知手段から当該ドライブのエラーレートを取得する第１ステップと、クリーニング情報記憶部から前回のリード／ライト後にクリーニングを行ったことを示すフラグの有無を検索する第２ステップとを実行し、前記第１ステップにより取得したエラーレートが第一の閾値よりも大きく且つ第２ステップにより前回のリード／ライト時のクリーニングフラグを検出したとき、当該磁気テープに対するヘッドクリーニングを行わずにエラー表示する第３ステップを含むことを第６の特徴とする。
【００１２】
更に本発明は、前記磁気テープバックアップシステムの管理方法において、前記第１ステップにより取得したエラーレートが第一の閾値よりも大きい事と、前記第２ステップによる前回のリード／ライト時のクリーニングフラグを検出していない事と、前回のリード／ライト時のエラーレートが第二の閾値より大きい事と、リード／ライトした磁気テープが同一の磁気テープでない事を条件として、当該磁気テープに対するヘッドクリーニングを行う第４ステップを含むことを第７の特徴とし、前記第５の管理方法において、前記第１ステップにより取得したエラーレートが第一の閾値よりも大きい事と、前記第２ステップによる前回のリード／ライト時のクリーニングフラグを検出していない事と、前回のリード／ライト時のエラーレートが第二の閾値より大きい事と、リード／ライトした磁気テープが同一の磁気テープである事と、当該磁気テープの過去のエラーレートに第二の閾値より大きいエラーレート履歴がテープ交換閾値以下である事を条件としてヘッドクリーニングを行う第５ステップとを含むことを第８の特徴とし、前記第１ステップにより取得したエラーレートが第一の閾値よりも大きい事と、前記第２ステップによる前回のリード／ライト時のクリーニングフラグを検出していない事と、前回のリード／ライト時のエラーレートが第二の閾値より大きい事と、リード／ライトした磁気テープが同一の磁気テープである事と、当該磁気テープの過去のエラーレートに第二の閾値より大きいエラーレート履歴がテープ交換閾値以上である事と、別の磁気テープで第二の閾値以上の情報がある事を条件としてヘッドクリーニングを行う第６ステップとを含むことを第９の特徴とし、前記第５の管理方法において、前記第１ステップにより取得したエラーレートが第一の閾値よりも小さい事と、前記第２ステップによる前回のリード／ライト時のクリーニングフラグを検出していない事と、前回のリード／ライト時のエラーレートが第二の閾値より大きい事と、リード／ライトした磁気テープが同一の磁気テープである事と、当該磁気テープの過去のエラーレートに第二の閾値より大きいエラーレート履歴がテープ交換閾値以上である事と、別の磁気テープで第二の閾値以上の情報がない事を条件として磁気テープの交換を促すメッセージを表示する第７ステップを含むことを第１０の特徴とする。
【発明の効果】
【００１３】
本発明によれば、メディアエラー等、障害の発生前に磁気ヘッドクリーニングを適切な時期に行うこと、バックアップ/リストアが失敗してからヘッドクリーニングするのではなく、障害が発生する前に自動でヘッドクリーニングし、障害の防止を行うこと、更に磁気テープ障害等による無駄なヘッドクリーニングを防止すること、磁気テープの交換時期をユーザに通知することができる。
【発明を実施するための最良の形態】
【００１４】
以下、本発明の一実施形態による磁気テープバックアップシステム及び該システムの管理方法を図面を参照して詳細に説明する。図１は本発明の一実施形態による磁気テープバックアップシステムの概要ブロック図、図２は本実施形態による磁気テープバックアップシステムの制御方法を示すフローチャート、図３は本実施形態によるエラーレート履歴情報を説明するための図、図４は本実施形態によるヘッドクリーニング情報を説明するための図である。
<構成説明>
【００１５】
本実施形態による磁気テープバックアップシステムは、図１に示す如く、図示しないコンピュータシステムのデータのバックアップやリストアを実行する為に磁気テープライブラリ装置を制御する制御装置１と、当該データを磁気テープにリード又はライトする磁気テープライブラリ装置２から構成される。
【００１６】
前記磁気テープライブラリ装置２は、磁気ヘッドのクリーニングを行うための複数のクリーニングテープ２１３と、データのバックアップやリストアを行うための記録媒体である複数の磁気テープ２１１〜２１２と、磁気テープにデータをライト又はリストアするための複数の磁気テープドライブ２２と、プログラム制御によって磁気テープ２１１等とクリーニングテープ２１３を保管する格納部（図示せず）のスロットとドライブ２２間の動で搬送を行うためのロード／アンロード手段２４とを備え、前記磁気テープドライブ２２は、後述する制御装置１のドライブ制御部１４にエラーレート（単位時間又は単位データ当たりのエラー発生回数等のエラー発生頻度情報）を通知するエラー情報通知手段２２１と、磁気テープにデータをリード／ライトするリード／ライト手段２２４とを含む。
【００１７】
前記制御装置１は、磁気テープ交換のメッセージを表示し、且つバックアップ／リストア動作状況を表示する表示部１１と、磁気テープへのリード／ライト時に発生したエラーレートを格納するエラーレート履歴情報部１２と、磁気ヘッドクリーニングを行った磁気テープ装置番号や時期等を格納するクリーニング情報記憶部１３と、前記回路１１〜１３並びに磁気テープライブラリ装置２を制御するためのプログラムを搭載したドライブ制御部１４とから構成される。また前記制御装置１は、後述するエラーレートに対してヘッドクリーニング又は障害表示対象とする第一の閾値と該第一の閾値よりも低く、警告対象とする第二の閾値を格納する閾値格納部（図示せず）と、磁気テープを第二の閾値以上の障害が何回発生したら交換するか判定するための閾値（テープ交換閾値）を格納する閾値格納部（図示せず）を備える。
【００１８】
前記エラーレート履歴情報部１２に格納するエラー情報は、図３に示す如く、バックアップ／リストアを行った日時（年月日時分秒）、使用した磁気テープ装置のドライブの製番、そのドライブで使用した磁気テープの製番、エラーレート情報手段２２１より取得したエラーレートから構成され、前記クリーニング情報記憶部１３に格納するクリーニング情報は、図４に示す如く、ヘッドクリーニングを行った磁気テープ装置のドライブ製番毎に、最後のバックアップ／リストア後にヘッドクリーニングを行ったか否かを示すフラグを立てる形式である。尚、前記記憶部１２及び１３は、不揮発メモリ又は磁気ディスク装置から構成され、各回路は汎用コンピュータサーバにバックアップソフトウエアとして組込むこともできる。
<動作説明>
【００１９】
さて、前述のように構成した磁気テープバックアップシステムは、まず、ヘッドクリーニングを行うにあたり、エラーレートに２段階の閾値を設定し、第一の閾値以上の場合、ヘッドクリーニング又は障害表示対象とし、第一の閾値よりも低い第二の閾値以上の場合、警告表示対象とする。尚、実機においては、前記第一の閾値より上位にドライブ内部の閾値があり、その閾値以上の場合にはドライブがエラーを報告し、バックアップ／リストアを異常終了とするものであるが、ここでは説明を省略する。
【００２０】
本実施形態による磁気テープバックアップシステムは、図２に示す如く、バックアップ／リストア（磁気テープ装置の記録再生）が終了したとき（ステップＡ１）、ドライブ制御部１４がバックアップ／リストアで使用したドライブ２２のエラーレートをエラーレート情報通知手段２２１より取得し（ステップＡ２）、該取得したエラーレートが第一の閾値以上の場合は（ステップＡ３）、クリーニング情報記録部１３に格納したフラグにより、前回のリード／ライト時にヘッドクリーニングを行った否かを判定し（ステップＡ４）、前回のリード／ライト時にヘッドクリーニングを行ったと判定した場合は、磁気テープ側が原因の可能性があるため、このエラー表示（ステップＡ９）を行って、クリーニング情報の更新処理（ステップＡ７）及びエラーレート履歴情報の更新処理（ステップＡ８）を行って処理を終了する。
【００２１】
本システムは、前記ステップＡ４において、前回のリード／ライト時にヘッドクリーニングを行っていないと判定した場合（ステップＡ４）、エラーレート履歴情報記憶部１２より前回のエラーレートが第二の閾値以上か判定し（ステップＡ５）、前回のエラーレートが第二の閾値以下の場合、ヘッドクリーニングを実行し（ステップＡ６）、前記ステップＡ７以降の処理を行う。尚、前記ステップＡ７におけるヘッドクリーニング実行は、ロード／アンロード手段２４よりクリーニングテープ２１３をドライブ２２へロードしヘッドクリーニングを行い、ヘッドクリーニングが終了した場合、ロード／アンロード手段２４よりアンロードを行うことにより行われる。
【００２２】
さて前記ステップＡ５において、前回のエラーレートが第二閾値を越えた場合、本システムは、エラーレート履歴情報部１２より情報を取得し、今回バックアップ／リストアに使用したテープが前回使用したテープと同じかを判定し（ステップＡ１０）、同じテーブの場合は、エラーレート履歴情報記憶部１２より履歴情報を取得し、今回使用したテープが過去に何回 第二閾値を超えたかを判定し、第二閾値超過回数とテープ交換閾値を比較してヘッドクリーニングを行うか否か判断する（ステップＡ１１）。
【００２３】
このステップＡ１１において、同一磁気テープの第二閾値超過回数がテープ交換閾値以下と判定した場合はヘッドクリーニングを行い（ステップＡ６）、クリーニング情報記憶部１３の更新（ステップＡ７）並びにエラーレート履歴情報記憶部１２の更新（ステップＡ８）を行う。
【００２４】
前記ステップＡ１１において、同一磁気テープの第二閾値超過回数がテープ交換閾値以上と判定した場合、本システムは、エラーレート履歴情報部記憶１２より別磁気テープの情報を取得し、別の磁気テープで第二の閾値以上の情報が存在するかを判定し（ステップＡ１２）、該ステップＡ１２において、別の磁気テープでも第二の閾値以上の情報がある場合はヘッドクリーニングを行い（ステップＡ６）、クリーニング情報記憶部１３の更新（ステップＡ７）並びにエラーレート履歴情報記憶部１２の更新（ステップＡ８）を行い、前記ステップＡ１２において、第二の閾値以下と判定した場合は、表示部１１に磁気テープの交換メッセージを表示し（ステップＡ１３）、クリーニング情報記録部１３の更新（ステップＡ７）並びにエラーレート履歴情報記憶部の更新１２（ステップＡ８）を行う様に動作する。
【００２５】
この様に本実施形態による磁気テープバックアップシステム及び該システムの管理方法は、ヘッドクリーニング又は障害表示対象とする第一の閾値と、警告表示対象とする第一の閾値よりも低い第二の閾値とを設定し、バックアップ／リストアが終わった後にエラーレートが第一閾値より大きいか否かの判定、エラーレートが第一の閾値よりも小さく且つ前回のリード／ライト時にクリーニングを実施したか否かの判定を行い、前回のリード／ライト時にクリーニングを行っていた場合には再度の磁気ヘッドクリーニングを行わないことにより、磁気テープ側の障害による無駄且つヘッドを摩耗するヘッドクリーニングを防止することができる。
【００２６】
更に本実施形態による磁気テープバックアップシステム及び該システムの管理方法は、第二の閾値を越えた磁気テープが前回リード／ライトした磁気テープと同一の場合、エラーレート履歴情報を検索し、今回のテープの第二閾値以上のエラーレート履歴がテープ交換閾値以下の場合は、ヘッドクリーニングを行う事、及び今回のテープの第二閾値以上のエラーレート履歴がテープ交換閾値以上且つ別のテープに第二閾値以上のエラーレート履歴がある場合はヘッドクリーニングを行う事によって、今後エラーが発生する可能性の高い磁気テープドライブをヘッドクリーニングにより回復すると共に、磁気テープ要因の無駄なヘッドクリーニングを防止することができる。
【００２７】
更に本システム及び該システムの管理方法は、前記今回の磁気テープの第二閾値以上のエラーレート履歴がテープ交換閾値以上且つ別の磁気テープに第二閾値以上のエラーレート履歴がない場合には、この磁気テープが障害要因と判定し、磁気テープの交換要求を行うことによって、今後エラーが発生する可能性の高い磁気テープの交換を促すことが出来ると共に、磁気テープ要因の無駄なヘッドクリーニングを防止することができる。
【図面の簡単な説明】
【００２８】
【図１】本発明の一実施形態による磁気テープバックアップシステムの概要ブロック図。
【図２】本実施形態による磁気テープバックアップシステムの制御方法を示すフローチャート。
【図３】本実施形態によるエラーレート履歴情報を説明するための図。
【図４】本実施形態によるヘッドクリーニング情報を説明するための図。
【符号の説明】
【００２９】
１：制御装置、２：磁気テープライブラリ装置、１１：表示部、１２：エラーレート履歴情報記憶部、１３：クリーニング情報記憶部、１４：ドライブ制御部、２２：ドライブ、２４：ロード／アンロード手段、２１１〜２１２：磁気テープ、２１３：クリーニングテープ、２２１：エラーレート情報手段、２２２：リード／ライト手段。
【図１】
2006099851.tif 000003
【図２】
2006099851.tif 000004
【図３】
2006099851.tif 000005
【図４】
2006099851.tif 000006